(57)【要約】【課題】用紙の再湿糊部に水を塗布する水塗布部材を長期間使用しないときに、水塗布部材を水貯留容器内の水から退避させる。【解決手段】水塗布手段６０は、水６９を貯留した水貯留容器６８と、水貯留容器６８内の水６９に浸漬した下端部７０ｂ側で水６９を吸い上げ、且つ、下端部７０ｂ側からの水６９が伝達されて水面から露出した上端部７０ａ側の上端面を用紙搬送途中の封筒用紙１の再湿糊部８に接触させて水６９を塗布する水塗布部材７０と、水塗布部材７０が水貯留容器６８内の水６９に浸漬した動作位置と、水塗布部材７０が水貯留容器６８内の水６９から退出した退避位置との間で水塗布部材７０を回動させる水塗布部材回動手段７１，（７５Ｌ），７５Ｒ，７６，７８と、水塗布部材回動手段を動作位置と退避位置とを選択的に取り得るように制御する制御手段１３０と、を備えた封緘装置３０を提供する。【選択図】図４
2017226434.tif 000002
【特許請求の範囲】
【請求項１】
再湿糊部を有する用紙を用紙搬送方向に搬送する用紙搬送手段と、
前記用紙搬送手段により搬送された前記用紙の前記再湿糊部に水を塗布する水塗布手段と、
前記水塗布手段により前記水を塗布された前記用紙を封緘する封緘手段と、
を備えた封緘装置において、
前記水塗布手段は、
前記水を貯留した水貯留容器と、
前記水貯留容器内の前記水に浸漬した下端部側で該水を吸い上げ、且つ、前記下端部側からの前記水が伝達されて水面から露出した上端部側を用紙搬送途中の前記再湿糊部に接触させて該水を塗布する水塗布部材と、
前記水塗布部材が前記水貯留容器内の前記水に浸漬する動作位置と、前記水塗布部材が前記水貯留容器内の前記水から退出する退避位置との間で該水塗布部材を回動させる水塗布部材回動手段と、
前記水塗布部材回動手段が前記動作位置と前記退避位置とを選択的に取り得るように制御する制御手段と、
を備えたことを特徴とする封緘装置。
【請求項２】
更に、前記水貯留容器を鉛直方向に昇降させる水貯留容器昇降手段を備え、前記水塗布部材を前記退避位置に向かって回動させるときに、前記水貯留容器を下降させることを特徴とする請求項１に記載の封緘装置。
【請求項３】
前記水塗布部材回動手段は、前記水塗布部材の上端部側を必要に応じて前記水に一時的に浸漬させることを特徴とする請求項１又は請求項２に記載の封緘装置。
【請求項４】
前記水貯留容器の内側にブレード部材が当該水貯留容器の内側に一部を突出させて設けられ、前記水塗布部材の上端部側を前記水側に向けて回動させたときに、前記水塗布部材の上端部側が前記ブレード部材で擦られるようになっていることを特徴とする請求項３に記載の封緘装置。
【発明の詳細な説明】
【技術分野】
【０００１】
本発明は、用紙の再湿糊部に水塗布部材により水を塗布して用紙を封緘する封緘装置に関する。
【背景技術】
【０００２】
本出願人は、先に、封筒用紙や封筒などの用紙上の所定の接着位置にアラビア糊などの接着材料を用いて再湿糊部を予め貼着し、この再湿糊部に水塗布部材により水を塗布して用紙を封緘する封緘装置を提案している（例えば、特許文献１参照）。
【０００３】
特許文献１に開示された従来例の封緘装置では、ここでの図示を省略するが、用紙上の所定の接着位置に予め貼着された再湿糊部に水を塗布する水塗布手段は、水貯留容器に貯留した水内に水塗布部材の一例となる水塗布パッドを常時浸漬させている。
【０００４】
そして、水塗布パッドで吸い上げられた水を搬送途中の用紙上の所定の接着位置に予め貼着された再湿糊部に自動的に塗布している。
【０００５】
この際、従来例の封緘装置において、用紙を水塗布パッドに向けて搬送するための用紙搬送ガイド部材に水が付着することを防止できるように改善を図っている。
【先行技術文献】
【特許文献】
【０００６】
【特許文献１】特開２０１４−３１２６７号公報
【発明の概要】
【発明が解決しようとする課題】
【０００７】
ところで、上記した特許文献１に開示された従来例の封緘装置において、用紙上の所定の接着位置に予め貼着された再湿糊部に水を塗布するために、前述したように、水貯留容器に貯留した水を含浸させる水塗布パッドが用いられているが、封緘装置を長期間使用しなかった場合、水塗布パッドは水を含んだまま長期間放置される。
【０００８】
この際、水塗布パッドが水を含んだまま長期間放置されると、この水塗布パッドの表面から水分が蒸発し、これに伴って水に溶けていたミネラル分が析出する。そして、水塗布パッドを長期間放置した後に水塗布動作を再開すると、水から析出したミネラル分により水貯留容器内の水が水塗布パッドに吸い上げられにくくなるために、水付け不足による封緘不良が発生することがある。
【０００９】
また、水塗布パッドが水を含んだまま長期間放置されると、水塗布パッドの表面に付着した紙粉や再転写した再湿糊を栄養源として雑菌が繁殖し、これに伴って粘性の強いどろどろしたスラリー（懸濁体）が発生することがある。
【００１０】
そして、水塗布パッドの表面や内部でスラリーが生成されると、水塗布パッドの空隙をゲル状のスラリーが埋めることで、水塗布再開時に水貯留容器内の水が水塗布パッドに吸い上げられにくくなるために、この場合も水付け不足による封緘不良が発生することがある。
【００１１】
そこで、本発明は、封緘装置を長期間使用しない場合、言い換えると、水塗布部材（水塗布パッド）を長期間使用しない場合に、水塗布部材の表面から水貯留容器内の水分の蒸発を防ぐと共に、水塗布部材の表面や内部でスラリーが発生するのを防止できる封緘装置を提供することを目的とする。
【課題を解決するための手段】
【００１２】
本発明は上記課題に鑑みてなされたものであり、第１の発明は、再湿糊部を有する用紙を用紙搬送方向に搬送する用紙搬送手段と、
前記用紙搬送手段により搬送された前記用紙の前記再湿糊部に水を塗布する水塗布手段と、
前記水塗布手段により前記水を塗布された前記用紙を封緘する封緘手段と、
を備えた封緘装置において、
前記水塗布手段は、
前記水を貯留した水貯留容器と、
前記水貯留容器内の前記水に浸漬した下端部側で該水を吸い上げ、且つ、前記下端部側からの前記水が伝達されて水面から露出した上端部側を用紙搬送途中の前記再湿糊部に接触させて該水を塗布する水塗布部材と、
前記水塗布部材が前記水貯留容器内の前記水に浸漬する動作位置と、前記水塗布部材が前記水貯留容器内の前記水から退出する退避位置との間で該水塗布部材を回動させる水塗布部材回動手段と、
前記水塗布部材回動手段が前記動作位置と前記退避位置とを選択的に取り得るように制御する制御手段と、
を備えたことを特徴とする封緘装置である。
【００１３】
また、第２の発明は、上記した第１の発明の封緘装置において、
更に、前記水貯留容器を鉛直方向に昇降させる水貯留容器昇降手段を備え、前記水塗布部材を前記退避位置に向かって回動させるときに、前記水貯留容器を下降させることを特徴とする封緘装置である。
【００１４】
また、第３の発明は、上記した第１又は第２の発明の封緘装置において、
前記水塗布部材回動手段は、前記水塗布部材の上端部側を必要に応じて前記水に一時的に浸漬させることを特徴とする封緘装置である。
【００１５】
また、第４の発明は、上記した第３の発明の封緘装置において、
前記水貯留容器の内側にブレード部材が当該水貯留容器の内側に一部を突出させて設けられ、前記水塗布部材の上端部側を前記水側に向けて回動させたときに、前記水塗布部材の上端部側が前記ブレード部材で擦られるようになっていることを特徴とする封緘装置である。
【発明の効果】
【００１６】
第１の発明の封緘装置によると、用紙の再湿糊部に水塗布部材（水塗布パッド）により水を塗布して用紙を封緘する封緘装置において、制御手段は、水塗布部材回動手段を介して水塗布部材が水貯留容器内の水に浸漬した動作位置と、水塗布部材が水貯留容器内の水から退出した退避位置とを選択的に取り得るように制御している。
【００１７】
従って、水塗布部材を長期間使用しない場合に、水塗布部材を退避位置に退避させることができ、且つ、退避位置にて水塗布部材を乾燥させることができる。
【００１８】
これにより、水塗布部材は水を含んだまま長期間放置されないので、水塗布部材の表面から水分が蒸発せず、且つ、水に溶けていたミネラル分が析出しない。従って、水塗布部材を長期間放置した後の水塗布再開時に、水貯留容器内の水が水塗布部材に確実に吸い上げられるために、水付け不足による封緘不良が発生することがない。
【００１９】
また、水塗布部材は水を含んだまま長期間放置されないので、水塗布部材の表面に雑菌が繁殖せず、これに伴って粘性の強いどろどろしたスラリー（懸濁体）が発生しない。従って、水塗布部材を長期間放置した後の水塗布再開時に、水貯留容器内の水を水塗布部材の上端部に確実に吸い上げることができるために、水付け不足による封緘不良が発生することがない。
【００２０】
また、第２の発明の封緘装置によると、水塗布部材を退避位置に向かって回動させるときに、水貯留容器を下降させることで、水塗布部材の下端部が水貯留容器の内側に衝突せずに回動できると共に、水貯留容器の小型化を図ることができる。
【００２１】
また、第３の発明の封緘装置によると、水塗布部材の上端部側を必要に応じて水に一時的に浸漬させることにより、長期間に亘って退避位置に退避している水塗布部材で水塗布動作を再開するときに、乾燥している水塗布部材の上端部を先に水に一時的に浸漬してから水塗布部材を回動して下端部を水に浸漬させることが可能になる。これにより、水貯留容器内の水が水塗布部材の下端部側から上端部に達する前に用紙の再湿糊部に水を迅速に塗布することができる。
【００２２】
また、第４の発明の封緘装置によると、水塗布部材の上端部側を水側に向けて回動させたときに、水塗布部材の上端部側が水貯留容器内に設けたブレード部材で擦られるようになっている。これにより、水塗布部材の上端部に付着した塵埃や、水から析出したミネラル分や、粘性の強いどろどろしたスラリーなどをブレード部材に擦り付けてクリーニングできる。
【図面の簡単な説明】
【００２３】
【図１】（ａ），（ｂ）は本発明に係る封緘装置に使用される封筒用紙を封筒状に折り畳む状態を示した斜視図である。
【図２】本発明に係る封緘装置が適用される封筒作成システムを説明するための全体構成図である。
【図３】本発明に係る封緘装置の要部を構成する水塗布部を拡大して示し、且つ、回動可能な可動ガイド部材が用紙受け入れ位置に至っている状態を示した側面図である。
【図４】図３に示した水塗布部内に設けた水塗布パッド及び前方パッド挟持板並びに後方パッド挟持板を拡大して示した斜視図である。
【図５】水塗布部において、（ａ）は水塗布パッドの近傍を組み立てた状態を示した斜視図であり、（ｂ）は封筒用紙に対して水塗布パッドと可動ガイド部材の位置関係を示した上面図である。
【図６】水塗布部を示した上面図である。
【図７】水塗布部において、回動可能な可動ガイド部材が水塗布位置に至っている状態を示した側面図である。
【図８】（ａ）〜（ｄ）は水塗布部において、水塗布パッドの回動動作を示した動作図である。
【図９】（ａ）〜（ｄ）は水塗布部において、可動ガイド部材及び用紙押圧部材の回動動作を示した動作図である。
【発明を実施するための形態】
【００２４】
以下に本発明に係る封緘装置の一実施形態について、項目順に詳細に説明する。
【００２５】
［封筒用紙］
本発明に係る封緘装置を説明する前に、この封緘装置に使用される封筒用紙について、図１（ａ），（ｂ）を用いて先に説明する。
【００２６】
図１（ａ），（ｂ）は本発明に係る封緘装置に使用される封筒用紙を封筒状に折り畳む状態を斜視的に示している。
【００２７】
まず、図１（ａ）に示す如く、本発明に係る封緘装置に使用される用紙の一例となる封筒用紙１は、封筒上紙片２と封筒中紙片３と封筒下紙片４とが連接されており、封筒上紙片２と封筒中紙片３と封筒下紙片４とを折り線５Ａ，５Ｂを介して封筒状に三つ折りして、図１（ｂ）に示す如く、封筒９を形成し、この封筒９を接着により封緘できるようになっている。
【００２８】
この際、封筒用紙１の搬送方向を用紙搬送方向と記載し、この用紙搬送方向と直交する方向を用紙幅方向と記載する。
【００２９】
そして、封筒上紙片２は、表面に宛て名が印刷されるようになっており、且つ、前端部２ａ側で左右の側部２ｂ，２ｃ間に開封用ミシン目２ｄが帯状に形成され、更に、裏面の左右の側部２ｂ，２ｃに感圧接着剤６が所定の間隔を隔ててそれぞれ帯状に設けられている。
【００３０】
また、封筒中紙片３は、表面に差し出し名が印刷されるようになっており、且つ、裏面に印刷済みの内容物７を必要に応じて添付するか、又は、裏面に情報を直接印刷可能になっていると共に、裏面の左右の側部３ａ，３ｂに感圧接着剤６が所定の間隔を隔ててそれぞれ帯状に設けられている。
【００３１】
また、封筒下紙片４は、折り線５Ｂの近傍の表面上に設定した所定の接着位置に再湿糊部８が用紙幅方向に沿って帯状に予め貼着されており、且つ、表面及び裏面の左右の側部４ａ，４ｂに感圧接着剤６が所定の間隔を隔ててそれぞれ帯状に設けられている。
【００３２】
この際、各紙片２〜４の左右の側部に設けた感圧接着剤６は、天然ゴムなどの接着材料を用いており、三つ折りに折り畳んだ際に互いに対向する感圧接着剤６同士を密着させて後述する封筒圧着ローラ対１１１（図２）により所定の圧力を加えることで接着可能になっている。
【００３３】
一方、再湿糊部８は、アラビア糊などの接着材料を用いている。そして、封筒用紙１を搬送する途中で、この封筒用紙１の封筒下紙片４の表面上に設定した所定の接着位置に予め貼着された再湿糊部８に対して後述する水塗布部６０（図２，図３，図５〜図７）により水６９（図３，図７，図８）で濡らすことで、封筒下紙片４の表面に封筒上紙片２の裏面が接着可能になっているので、これにより封筒用紙１上の再湿糊部８を封緘することができる。
【００３４】
この際、上記した再湿糊部８の外形サイズは、用紙搬送方向の幅寸法がＸｍｍと短く設定され、且つ、用紙搬送方向と直交する用紙幅方向に沿った長さ寸法がＹｍｍと長く設定されている。
【００３５】
そして、封筒用紙１及び内容物７に対してそれぞれ印刷が終了した後に、図１（ａ）に示した如く、封筒中紙片３の裏面に内容物７を必要に応じて載置して、封筒下紙片４を内容物７に向けて折り畳み、この後、水塗布部６０により再湿糊部８に水６９を塗布して、図１（ｂ）に示した如く、封筒上紙片２を封筒下紙片４に向けて折り畳むと、封筒用紙１が封筒状に三つ折りされて封筒９が形成されるので、この封筒９を自動的に封緘している。
【００３６】
［封筒作成システム］
次に、本発明に係る封緘装置が適用される封筒作成システムについて、図２を用いて説明する。
【００３７】
図２は本発明に係る封緘装置が適用される封筒作成システムの全体構成を示している。尚、以下では、図１（ａ），（ｂ）に示した封筒用紙１の各構成部材に対して符号番号のみを記載し、図示を省略して説明する。
【００３８】
図２に示す如く、本発明に係る封緘装置が適用される封筒作成システム１０は、封筒用紙１と内容物７とを選択的に印刷する印刷装置２０と、印刷済みの封筒用紙１を封筒状に折り畳んで印刷済みの内容物７を必要に応じて封入した後に封筒上紙片２と封筒下紙片４とを接着して封緘する封緘装置３０とで構成されている。
【００３９】
上記した印刷装置２０は、印刷動作及び封緘動作に伴う各種の操作を入力する操作パネル部２１と、封筒用紙１を一枚ずつ給紙する封筒用紙給紙部２２と、封筒用紙１に内容物７を必要に応じて添付する場合に内容物用紙７ａを一枚ずつ給紙する内容物用紙給紙部２３と、封筒用紙１と内容物用紙７ａとに画像や文字を選択的に印刷する印刷部２４と、印刷装置２０内の各部を全体的に制御する制御部２５とを備えている。
【００４０】
この際、印刷部２４は、インクジェット印刷方式，孔版印刷方式，レーザ印刷方式，熱転写印刷方式などに応じた構造形態で構成されている。そして、印刷装置２０内で封筒用紙給紙部２２から搬送された封筒用紙１と、内容物用紙給紙部２３から搬送された内容物用紙７ａとを選択的に印刷する際に片面印刷又は両面印刷ができるようになっている。
【００４１】
また、上記した封緘装置３０は、印刷装置２０内の印刷部２４で印刷された印刷済みの封筒用紙１を三つ折りして封筒状に折り畳むと共に、印刷部２４で必要に応じて印刷された印刷済みの内容物７を、折り畳んだ封筒用紙１内に封入する封筒用紙折り畳み部兼内容物封入部４０を備えている。
【００４２】
また、封緘装置３０は、印刷部２４で必要に応じて印刷された印刷済みの内容物７を折り畳む内容物折り畳み部５０と、折り畳まない内容物７又は折り畳まれた内容物７を一時的に待機させる内容物待機部５５と、を備えている。
【００４３】
また、封緘装置３０は、封筒状に折り畳んだ封筒用紙１の封筒下紙片４の表面上の所定の接着位置に予め貼着された再湿糊部８に水貯留容器６８内に貯留した水６９を水塗布部材７０により自動的に塗布する水塗布手段となる水塗布部６０を備えている。
【００４４】
この際、水塗布部６０内に設けた水塗布部材７０は、スポンジなどにより形成した水塗布パッドを用いており、以下、水塗布部材を水塗布パッド７０と呼称して説明する。
【００４５】
また、封緘装置３０は、折り畳まれた封筒９の左右の側部に設けた感圧接着剤６同士を圧着させると共に封筒９を自動的に封緘する圧着部１１０と、水塗布部６０と圧着部１１０とにより完成した封筒９を排紙する排紙部１２０（図示略）とを備えている。
【００４６】
また、封緘装置３０は、封緘装置３０内の各部を全体的に制御する制御部１３０と、封筒用紙１のフォーム情報に基づいて設定された封筒用紙１の搬送方向に対する所定の接着位置（再湿糊部８）の位置情報などが予め記憶されている記憶部１４０とを備えている。
【００４７】
この際、印刷装置２０内の制御部２５と、封緘装置３０内の制御部１３０とは、各種の制御信号などを双方向に授受しているが、封緘装置３０内の制御部１３０を印刷装置２０内の制御部２５内に盛り込むことも可能である。
【００４８】
ここで、封緘装置３０内に設けた封筒用紙折り畳み部兼内容物封入部４０によって、封筒用紙１内に印刷済みの内容物７を封入して、この封筒用紙１を封筒状に折り畳んだ後に封筒９を封緘する場合について説明する。
【００４９】
上記した封筒用紙折り畳み部兼内容物封入部４０は、封筒用紙供給用搬送路ＦＩＲと、封筒排出用搬送路ＦＯＲとの間に略沿って設けられており、封筒用紙１を三つ折りして封筒状に折り畳み且つ必要に応じて内容物７を封入するための機能を備えている。
【００５０】
この封筒用紙折り畳み部兼内容物封入部４０では、第１モータ４１の駆動力によって反時計方向に回転自在な主折リローラ４２と、主折リローラ４２の左側でこの主折リローラ４２に従動するシート搬送ローラ４３と、主折リローラ４２及びシート搬送ローラ４３の下方に固定設置された第１用紙突き当て板４４と、主折リローラ４２の下方でこの主折リローラ４２に従動する第１副折りローラ４５と、第１副折りローラ４５よりも下流に設置された用紙検出センサ４６と、主折リローラ４２の右方で主折リローラ４２に従動する第２副折りローラ４７とで構成されている。
【００５１】
上記のように封筒用紙折り畳み部兼内容物封入部４０を構成したときに、印刷済みの封筒用紙１の搬送方向の先端部側となる封筒下紙片４を先頭にしてこの封筒用紙１が封筒用紙供給用搬送路ＦＩＲに沿いながら主折リローラ４２とシート搬送ローラ４３との間に送り込まれる。
【００５２】
そして、封筒用紙１の先端部が「イ」に示した軌跡を取りながら第１用紙突き当て板４４に突き当って、この第１用紙突き当て板４４の一端部に設けた曲げ片４４ａ内に進入する。
【００５３】
この後、封筒用紙１が主折リローラ４２とシート搬送ローラ４３とで更に送り込まれるために、封筒用紙１の先端部が第１用紙突き当て板４４の曲げ片４４ａ内に突き当たったまま、封筒用紙１は第１用紙突き当て板４４の内側に沿うように「ロ」に示した軌跡を取る。
【００５４】
更に封筒用紙１が第１用紙突き当て板４４側に送り込まれると、封筒用紙１の途中で「ハ」に示したような膨らみが生じ、この膨らみ部分が主折リローラ４２と第１副折りローラ４５との間に吸い込まれて、主折リローラ４２と第１副折りローラ４５との間を通過するときに「折り１」が形成される。
【００５５】
一方、内容物待機部５５で待機している印刷済みの内容物７は、内容物供給用搬送路ＮＩＲに沿いながら主折リローラ４２と第１副折りローラ４５とにより「折り１」が形成される中に封入される。
【００５６】
そして、印刷済みの内容物７が「折り１」の中に封入された段階では、封筒用紙１の封筒下紙片４の表面側が後述する水塗布部６０内の水塗布パッド７０と対向するように折り畳まれている。
【００５７】
この後、折り畳まれた封筒下紙片４を先頭にして封筒用紙１が主折リローラ４２と第１副折りローラ４５とにより折り畳み用搬送路ＦＴＲに沿って「ニ」に示した軌跡を取りながら搬送されて、折り畳まれた封筒下紙片４の先頭部が用紙検出センサ４６で検出されたときに、制御部１３０を介して所定のタイミングが経過した後に、封筒下紙片４の先頭部が水塗布部６０内に設けた第２用紙突き当て板１０３に突き当たる。
【００５８】
そして、後述するように、封筒下紙片４の先頭部が第２用紙突き当て板１０３に突き当たって封筒用紙１の再湿糊部８が水塗布パッド７０と対向したときに、この再湿糊部８に水貯留容器６８内に貯留した水６９を水塗布パッド７０により自動的に塗布している。
【００５９】
この後、封筒下紙片４の先頭部が第２突き当て板１０３に突き当たったまま、封筒用紙１は「ホ」に示した軌跡を取り、更に封筒用紙１が送り込まれると、封筒用紙１の途中で「へ」に示したような膨らみが生じ、この膨らみ部分が主折リローラ４２と第２副折りローラ４７との間に吸い込まれて、主折リローラ４２と第２副折りローラ４７との間を通過するときに「折り２」が形成されることで、封筒用紙１の封筒上紙片２の裏面が封筒下紙片４の表面と対向するように封筒状に折り畳まれて封筒９が形成される。
【００６０】
そして、折り畳まれた封筒９を圧着部１１０に送って、圧着部１１０内の封筒圧着ローラ対１１１により封筒９の左右の側部に設けた感圧接着剤６同士を圧着させると共に、この圧着動作に伴って封筒用紙１の封筒上紙片２の裏面が封筒下紙片４の表面に確実に接着されて自動的に封緘される。
【００６１】
この後、水塗布部６０と圧着部１１０とにより完成した封筒９を排紙部１２０へ排紙している。
【００６２】
［封緘装置内の水塗布部］
ここで、本発明の要部となる封緘装置３０内の水塗布部６０の構成について、図３〜図７を用いて説明する。
【００６３】
図３は本発明に係る封緘装置の要部を構成する水塗布部を拡大して示し、且つ、回動可能な可動ガイド部材が用紙受け入れ位置に至っている状態を示している。また、図４は図３に示した水塗布部内に設けた水塗布パッド及び前方パッド挟持板並びに後方パッド挟持板を拡大して斜視的に示している。また、図５（ａ），（ｂ）は水塗布部において、水塗布パッドの近傍を組み立てた状態を示している。また、図６は水塗布部を上面側から見て示している。また、図７は水塗布部において、回動可能な可動ガイド部材が水塗布位置に至っている状態を示している。
【００６４】
図３に拡大して示す如く、本発明の要部となる水塗布部６０は、底板６１と、底板６１に対して垂直に設けられ且つ封筒用紙１の搬送方向と直交する用紙幅方向の左右にこの封筒用紙１の幅寸法よりも大きく間隔を隔てて互いに対向した左右一対の側板（６２Ｌ），６２Ｒとの間に設置されている。
【００６５】
上記した水塗布部６０では、底板６１上に一対の容器昇降ガイド部材６３，６４が互い間隔を隔てて対向して垂直に固定設置されており、且つ、一対の容器昇降ガイド部材６３，６４間に第２モータ６５によって回転軸６６を中心にして偏心回転する円板状の第１偏心カム６７が設置されている。
【００６６】
また、一対の容器昇降ガイド部材６３，６４間でこの上方部位には、水貯留容器６８が内部に水６９を貯留した状態で設置されており、この水貯留容器６８の底部６８ａが第１偏心カム６７に当接されている。
【００６７】
そして、水貯留容器６８は、第１偏心カム６７の偏心回転と協慟して、一対の容器昇降ガイド部材６３，６４間に案内されて鉛直方向に昇降可能になっている。この際、第１偏心カム６７の偏心回転によって昇降する水貯留容器６８の高さ位置については後で述べる。
【００６８】
また、水塗布パッド７０は、後述する回動軸７６を中心にして回動可能に支持されて、水貯留容器６８に貯留した水６９内に対して進退可能に設けられている。そして、水塗布パッド７０の上端部７０ａ側の上端面が封筒用紙１の再湿糊部８への水塗布部位になっており、且つ、上端部７０ａとは反対側の下端部７０ｂが水６９内に浸漬する部位になっている。
【００６９】
この際、封筒用紙１が水塗布パッド７０に進入する側を前方側と設定したときに、水塗布パッド７０の長手方向の一部が前方側の前方パッド挟持板７１と後方側の後方パッド挟持板７２とにより挟持されている。
【００７０】
また、水塗布パッド７０は、前方パッド挟持板７１に左右一対の軸支持部材（７５Ｌ），７５Ｒを介して取り付けた回動軸７６を中心にして、少なくとも、水塗布位置と、退避位置との間を回動可能に支持されている。
【００７１】
具体的には、図４に拡大して示す如く、水塗布パッド（水塗布部材）７０は、気孔径がφＤで連続多孔質構造に形成されたスポンジを用いて水貯留容器６８（図３，図７，図８）内の水６９を毛細管現象により吸い上げることができるように形成されている。尚、水塗布パッド７０は、スポンジ以外で不織布などを用いても良い。
【００７２】
また、水塗布パッド７０の上端部７０ａの外形サイズは、先に図１を用いて説明した封筒用紙１の再湿糊部８の外形サイズと対応して用紙搬送方向の幅寸法がＸｍｍと短く形成され、且つ、用紙幅方向に沿った長さ寸法がＹｍｍと長尺に形成されている。
【００７３】
また、水塗布パッド７０の上端部７０ａ側には、複数の凹状切り欠き部７０ａ１が用紙幅方向に所定の間隔を隔て、且つ、用紙搬送方向に沿って幅狭く凹状に切り欠き形成されており、これらの複数の凹状切り欠き部７０ａ１内に後述する複数の可動ガイド部材８３（図３，図５，図７〜図９）が進退自在になっている。
【００７４】
また、水塗布パッド７０は、上端部７０ａ側に形成した複数の凹状切り欠き部７０ａ１よりも下方の一部が前方パッド挟持板７１と後方パッド挟持板７２との間で挟持されており、且つ、前方パッド挟持板７１と後方パッド挟持板７２とが複数のネジ７４で締結されている。
【００７５】
そして、前方パッド挟持板７１と後方パッド挟持板７２とにより、水塗布パッド７０の上端部７０ａ側を挟み込んで保持することにより、柔軟性を有するスポンジを用いた水塗布パッド７０の上端部７０ａ側に剛性を持たすことが可能になり、これにより水塗布パッド７０の上端部７０ａが封筒用紙１の再湿糊部８に対して位置ズレすることがない。
【００７６】
この際、水塗布パッド７０の上端部７０ａ側及び下端部７０ｂ側は、前方パッド挟持板７１及び後方パッド挟持板７２から露出している。
【００７７】
また、前方パッド挟持板７１には、この前方側で用紙幅方向の左右に一対の軸支持部材（７５Ｌ），７５Ｒが取り付けられており、これら左右一対の軸支持部材（７５Ｌ），７５Ｒに長尺な回動軸７６が固着されている。
【００７８】
また、回動軸７６の左右両端部は、左右一対の軸受（７７Ｌ），７７Ｒを介して左右一対の側板（６２Ｌ），６２Ｒに軸支されており、且つ、回動軸７６の一方の端部が不図示のエンコーダ付き減速機構を介して正逆転可能な第３モータ７８に連結されている。
【００７９】
上記により、水塗布パッド７０は、前方パッド挟持板７１及び後方パッド挟持板７２と一体に後述するように第３モータ７８の正逆転により回動軸７６を中心にして時計方向及び反時計方向に回動可能になっている。
【００８０】
従って、水塗布パッド（水塗布部材）７０を回動させる水塗布部材回動手段は、左右一対の側板（６２Ｌ），６２Ｒ，前方パッド挟持板７１，後方パッド挟持板７２，左右一対の軸支持部材（７５Ｌ），７５Ｒ，回動軸７６，左右一対の軸受（７７Ｌ），７７Ｒ，第３モータ７８などで構成されている。
【００８１】
図３に戻り、水貯留容器６８の内側で貯留した水６９の水面近傍にはブラシなどを用いたブレード部材７９が当該水貯留容器６８の内側（水６９側）に一部を突出させて、この水６９内に浸漬された状態で横設されている。そして、水塗布パッド７０の上端部７０ａ側を必要に応じてブレード部材７９で擦り付けることで、上端部７０ａ側がクリーニング可能になっている。
【００８２】
また、左右一対の側板（６２Ｌ），６２Ｒの上方部位で封筒用紙１の搬送方向の上流側には、長尺なシャフト８１が封筒用紙１の幅方向に沿って左右一対の側板（６２Ｌ），６２Ｒ間に横架されている。
【００８３】
また、上記したシャフト８１には、板金材を用いて折り曲げ形成した可動ブラケット８２が上下方向に回動可能に軸支されている。
【００８４】
上記した可動ブラケット８２は、左右一対の側板（６２Ｌ），６２Ｒ間の内側で用紙幅方向の左右に一対の側板部（８２ａ），８２ｂが封筒用紙１の幅寸法より僅かに大きく間隔を隔てて互いに対向して下方に向って形成されており、且つ、一対の側板部（８２ａ），８２ｂの左上方部位にシャフト８１が軸着されている。
【００８５】
また、可動ブラケット８２の上方部位には、複数の可動ガイド部材８３及び用紙押圧部材８４を固定するための固定部８２ｃが一対の側板部（８２ａ），８２ｂ間に一体的に横架されている。
【００８６】
ここで、図５（ａ）に示す如く、水塗布部６０において、可動ブラケット８２の固定部８２ｃに固定される複数の可動ガイド部材８３は、封筒用紙１の表面側（下面側）が接しながらこの封筒用紙１に貼着された再湿糊部８を水塗布パッド７０に向けて搬送ガイドする機能を備えている。
【００８７】
これら複数の可動ガイド部材８３は、樹脂材を用いて封筒用紙１の表面側を搬送ガイドする上面８３ａと、可動ブラケット８２の固定部８２ｃに固定される下面８３ｂとが共に平坦に形成され、且つ、用紙搬送方向に沿って長尺な長さに形成され、用紙幅方向が幅狭く形成されている。
【００８８】
また、複数の可動ガイド部材８３は、可動ブラケット８２の固定部８２ｃ上で用紙幅方向に沿って所定の間隔を隔てて固定されていると共に、水塗布パッド７０の上端部７０ａ側を切り欠いた複数の凹状切り欠き部７０ａ１内に進退自在に臨んでいる。
【００８９】
これにより、複数の可動ガイド部材８３は、水塗布パッド７０の上端部７０ａに対して直交し、水塗布パッド７０を挟んでこの水塗布パッド７０の上流側及び下流側にそれぞれ延出されていると共に、水塗布パッド７０に干渉しないように用紙幅方向に間隔を隔てて設けられ、且つ、水塗布パッド７０よりも用紙搬送方向下流側においても前記間隔を維持して設けられている。
【００９０】
そして、封筒用紙１の搬送時に複数の可動ガイド部材８３の上面８３ａのみに封筒用紙１の表面側が接するために、図５（ｂ）に示したように、封筒用紙１上で複数の可動ガイド部材８３が接触する部分には水塗布パッド７０による水６９が塗布されないようになっている。
【００９１】
また、可動ブラケット８２の固定部８２ｃに固定される用紙押圧部材８４は、水塗布時に封筒用紙１の再湿糊部８を水塗布パッド７０の上端部７０ａ側に押圧する機能を備えている。
【００９２】
この用紙押圧部材８４は、板金材を用いて折り曲げ形成されており、可動ブラケット８２の固定部８２ｃに固定される左右の取付部８４ａ，８４ｂから一対の立ち上げ片８４ｃ，８４ｄが互いに間隔を離して対向して上方に向かって立ち上げられ、且つ、一対の立ち上げ片８４ｃ，８４ｄの各上端から連結片８４ｅが用紙幅方向に沿って連結され、更に、連結片８４ｅから複数の用紙押圧片８４ｆが用紙搬送方向の下流に向って「く字」状に屈曲して形成されている。
【００９３】
この際、用紙押圧部材８４の連結片８４ｅは、可動ブラケット８２からこの上方に対向して設けた上側用紙搬送ガイド板９３（図３，図６）の下板部９３ａに用紙幅方向に沿って形成された逃げ孔９３ａ１（図６のみ図示）内に臨んでいる。
【００９４】
そして、水塗布パッド７０の近傍を組み立てたときに、水塗布パッド７０は、複数の可動ガイド部材８３の下面側で各可動ガイド部材８３と直交して用紙幅方向に沿って設置されている。また、水塗布パッド７０の上端部７０ａの上方に、用紙押圧部材８４に形成した複数の用紙押圧片８４ｆが水塗布パッド７０の上端部７０ａと平行に設置されている。
【００９５】
再び図３に戻り、可動ブラケット８２に固定した可動ガイド部材８３よりも下流には、封筒用紙１の表面側（下面側）を搬送ガイドする下側用紙搬送ガイド板９２が可動ガイド部材８３と僅かな間隔を離して用紙搬送方向に沿って並設されている。
【００９６】
上記した下側用紙搬送ガイド板９２は、板金材を用いて折り曲げ形成されており、封筒用紙１の表面側を搬送ガイドする上板部９２ａが平坦に形成され、且つ、上板部９２ａの用紙幅方向の左右端から一対の側板部（９２ｂ），９２ｃが互いに対向して下方に向って曲げ形成されて左右一対の側板（６２Ｌ），６２Ｒの各内面に取り付けられていると共に、上板部９２ａの用紙搬送方向の下流端に側板部９２ｄが下方に向って形成されている。
【００９７】
また、封筒用紙１の裏面側（上面側）をガイドする上側用紙搬送ガイド板９３が可動ガイド部材８３及び下側用紙搬送ガイド板９２と対向して所定の間隔を隔てて用紙搬送方向に沿って長尺に固定設置されている。
【００９８】
上記した上側用紙搬送ガイド板９３も、板金材を用いて折り曲げ形成されており、封筒用紙１の裏面側をガイドする下板部９３ａが平坦に形成され、且つ、下板部９３ａの用紙搬送方向の上流側に第１切り起こし片９３ｂと第２切り起こし片９３ｃ（図６のみ図示）が上方に向かって切り起こし形成されていると共に、下板部９３ａの用紙搬送方向の下流端に側板部９３ｄが上方に向って曲げ形成されている。
【００９９】
また、可動ブラケット８２の一対の側板部（８２ａ），８２ｂのうちで右側の側板部８２ｂの内面の下方部位には、カムフォロア８５が軸８６に回転自在に軸支されている。
【０１００】
また、左右一対の側板（６２Ｌ），６２Ｒのうちで、右側の側板６２Ｒの内面には、上記したカムフォロア８５に添接する扇形状の第２偏心カム８７が軸８８に回転自在に固着されている。
【０１０１】
上記した扇形状の第２偏心カム８７は、右側の側板６２Ｒの下方部位に取り付けた第４モータ８９の回転を不図示のギア又はタイミングベルトなどの伝達機構を介して伝達されることで回転可能になっている。この際、第４モータ８９は、一方向のみ回転させるか、又は、１８０°に亘って正逆転させるかのいずれでも良い。
尚、符番９０は、第４モータ８９の後端軸に取り付けた円板状のＦＧ板である。
【０１０２】
更に、第４モータ８９によって回転する第２偏心カム８７の軸８８には、不図示の遮蔽板が固着されており、この遮蔽板と対向してホームポジションセンサ９１が設置されている。このホームポジションセンサ９１により第２偏心カム８７の待機位置を検出している。
【０１０３】
そして、水塗布部６０が待機状態の時には、図３に示したように、第２偏心カム８７の待機位置をホームポジションセンサ９１により検出しているので、第４モータ８９は回転を停止している。
【０１０４】
このときに、可動ブラケット８２と一体に可動ガイド部材８３がシャフト８１を中心にして予め反時計方向に回動しているので、可動ガイド部材８３が上側用紙搬送ガイド板９３と間隔を離して略平行な状態になっており、可動ガイド部材８３が用紙受け入れ位置に至っている。
【０１０５】
また、可動ガイド部材８３が用紙受け入れ位置に至っているときには、可動ブラケット８２と一体に用紙押圧部材８４もシャフト８１を中心にして予め反時計方向に回動しているので、この用紙押圧部材８４の用紙押圧片８４ｆが水塗布パッド７０の上端部７０ａから離間して上側用紙搬送ガイド板９３の下板部９３ａ側に退避している。
【０１０６】
一方、図７に示したように、第４モータ８９を作動させて、扇形状の第２偏心カム８７を待機位置から半回転させて水６９を塗布する水塗布時には、この第２偏心カム８７の外周面の扇形状に応じてカムフォロア８５を介して可動ブラケット８２と一体に可動ガイド部材８３がシャフト８１を中心にして時計方向に回動すると、可動ガイド部材８３が斜め右下方に傾斜した状態となり、可動ガイド部材８３が水塗布位置に至る。
【０１０７】
また、可動ガイド部材８３が水塗布位置に至っているときには、可動ブラケット８２と一体に用紙押圧部材８４もシャフト８１を中心にして時計方向に回動しており、この用紙押圧部材８４の用紙押圧片８４ｆが封筒用紙１の再湿糊部８を水塗布パッド７０の上端部７０ａ側の上端面に押圧するので、水６９が塗布される。
【０１０８】
再び図３に示す如く、前述した上側用紙搬送ガイド板９３の用紙幅方向部位の略中央部位に形成した第１切り起こし片９３ｂと側板部９３ｄとの間に１本のリードスクリユー９４が回転自在に軸支されていると共に、第１切り起こし片９３ｂよりも奥方に形成した第２切り起こし片９３ｃ（図６のみ図示）と側板部９３ｄとの間に１本のガイドシャフト９５（図６のみ図示）が固定支持されている。
【０１０９】
また、リードスクリユー９４は、用紙搬送方向下流側の端部が上側用紙搬送ガイド板９３の側板部９３ｄの外側に延出されて、この延出部位にギア９６が固着されている。
【０１１０】
また、下側用紙搬送ガイド板９２の側板部９２ｄにモータブラケット９７が固着されており、このモータブラケット９７に第５モータ９８が取り付けられ、且つ、第５モータ９８の先端軸にギア９９が固着されている。
【０１１１】
また、第５モータ９８の軸に固着されたギア９９は、減速用ギア列１００を介して、リードスクリユー９４に固着させたギア９６に噛合している。
【０１１２】
また、１本のリードスクリユー９４にナット１０１が螺合し、且つ、このナット１０１にブラケット１０２が一体的に固着されていると共に、このブラケット１０２に形成した不図示のガイド片がガイドシャフト９５（図６のみ図示）に係合しているので、ナット１０１と一体にブラケット１０２が前後左右に傾くことなく、リードスクリユー９４に沿って矢印方向に移動可能になっている。
【０１１３】
更に、ブラケット１０２上には、封筒用紙１のうちで封筒状に折り畳まれた封筒下紙片４の先頭部を突き当てるための第２用紙突き当て板１０３が固着されており、この第２用紙突き当て板１０３はＬ字状に折り曲げられて下側用紙搬送ガイド板９２の平坦な上板部９２ａに向かって垂れ下がっている。
【０１１４】
従って、第２用紙突き当て板１０３もブラケット１０２と一体にリードスクリユー９４に沿って矢印方向に移動可能になっている。
【０１１５】
また、リードスクリユー９４の用紙搬送方向下流側の近傍に第２用紙突き当て板１０３の移動状況を検出するための位置センサ１０４が設置されており、制御部１３０（図２）を介して第２用紙突き当て板１０３がホームポジションに至っていることを位置センサ１０４で検出し、このホームポジションを基準にして第５モータ９８のパルス数を計数することで、第２用紙突き当て板１０３の移動位置を制御できるようになっている。
【０１１６】
この際、第２用紙突き当て板１０３は、制御部１３０を介して記憶部１４０（図２）に記憶された再湿糊部８の位置情報に関するフォーム情報を参照することで、封筒用紙１のうちで封筒状に折り畳まれた封筒下紙片４の搬送方向の先頭部が当接する位置まで移動して、この位置で停止している。
【０１１７】
上記から水塗布部６０内には、封筒用紙１の表面側（下面側）が接触しながら封筒用紙１に貼着された再湿糊部８を水塗布パッド７０に向けて搬送ガイドする回動可能な可動ガイド部材（用紙搬送ガイド部材）８３と、可動ガイド部材８３の下流に並設された下側用紙搬送ガイド板９２と、封筒用紙１の裏面側（上面側）を搬送ガイドする上側用紙搬送ガイド板９３と、封筒用紙１の再湿糊部８に対して水塗布位置に至るように規制する第２用紙突き当て板１０３とで水塗布部６０内の用紙搬送路が形成されている。
【０１１８】
［水塗布部の動作］
ここで、上記のように構成した水塗布部６０の動作について、水塗布パッド７０の回動動作と、可動ガイド部材８３及び用紙押圧部材８４の回動動作とに分けて説明する。
【０１１９】
まず、図８（ａ）〜（ｄ）は水塗布部において、水塗布パッドの回動動作を示している。
【０１２０】
図８（ａ）〜（ｄ）に示す如く、水塗布部６０において、前方パッド挟持板７１と後方パッド挟持板７２とで挟持された水塗布パッド７０は、前方パッド挟持板７１に左右一対の軸支持部材（７５Ｌ），７５Ｒを介して取り付けた回動軸７６を中心にして時計方向及び反時計方向に回動可能になっている。
【０１２１】
そして、制御部１３０（図２）の指令によって、先に図４を用いて説明したように、回動軸７６に不図示のエンコーダ付き減速機構を介して取り付けた正逆転可能な第３モータ７８を回転駆動し、エンコーダのパルス位置に応じて水塗布パッド７０の回動角度が決定される。
【０１２２】
この際、制御部１３０は、先に図４を用いて説明した水塗布部材回動手段を介して、水塗布パッド７０が水貯留容器６８内の水６９に浸漬した動作位置と、水塗布パッド７０が水貯留容器６８内の水６９から退出した退避位置とを選択的に取り得るように制御している。
【０１２３】
具体的には、図８（ａ）は水塗布パッド７０が封筒用紙待機状態（封筒用紙受け入れ状態）に至っている。
【０１２４】
この封筒用紙待機状態では、先に図３を用いて説明したと同じ状態であり、回動可能な可動ガイド部材８３及び用紙押圧部材８４が用紙受け入れ位置に至って、封筒用紙１の可動ガイド部材８３上への進入を待機している。
【０１２５】
また、水貯留容器６８の底部６８ａは第１偏心カム６７（図３）の高い高さ位置に当接しているので、水貯留容器６８の高さ位置は、水塗布パッド７０の回動軸７６の中心と水貯留容器６８内の水面との間の高さがＨとなるように制御されている。
【０１２６】
このとき、水塗布パッド７０は、この上端部７０ａが可動ガイド部材８３の裏面に接近していると共に、下端部７０ｂが水貯留容器６８内の水６９に浸漬している。
【０１２７】
そして、水塗布パッド７０が水貯留容器６８内の水面に対して所定の角度傾斜した角度位置に保持されている。
【０１２８】
図８（ｂ）は水塗布パッド７０が水塗布状態に至っている。
【０１２９】
この水塗布状態では、先に図７を用いて説明したと同じ状態であり、可動ガイド部材８３及び用紙押圧部材８４が水塗布位置まで回動しており、水塗布パッド７０の上端部７０ａ側の上端面と用紙押圧部材８４との間に封筒用紙１が進入している。
【０１３０】
このとき、水貯留容器６８及び水塗布パッド７０は、封筒用紙待機状態と同じ状態に保たれている。
【０１３１】
そして、水塗布パッド７０は、水貯留容器６８内の水６９に浸漬した下端部７０ｂ側で水６９を吸い上げ、且つ、下端部７０ｂ側からの水６９が伝達されて水面から露出した上端部７０ａ側の上端面を用紙搬送途中の封筒用紙１の再湿糊部８に接触させて水６９を塗布する動作位置に至っている。
【０１３２】
一方、可動ガイド部材８３は、水塗布パッド７０の上端部７０ａに形成した凹状切り欠き部７０ａ１内に進入しているので、何らの支障もなく水塗布パッド７０で封筒用紙１の再湿糊部８に水６９を塗布できる。
【０１３３】
図８（ｃ）は水塗布パッド７０が退避状態に至っている。
【０１３４】
この退避状態では、封緘装置３０（図２）を長期間使用しない場合、言い換えると、水塗布パッド７０を長期間使用しない場合に、水塗布パッド７０を水塗布位置から回動軸７６を中心にして時計方向に回動して、水塗布パッド７０の下端部７０ｂを水貯留容器６８内の水６９から退出した退避位置まで退避させている。
【０１３５】
尚、水塗布パッド７０を長期間使用しない情報は、ユーザが操作パネル部２１（図１）で設定するか、もしくは制御部１３０（図１）内に予め設定した不使用時間を超えた情報のいずれかを用いればよい。
【０１３６】
この際、水塗布パッド７０を退避位置に向かって回動させるとき、水塗布パッド７０の下端部７０ｂを水貯留容器６８の内側に衝突させないために、水貯留容器６８の底部６８ａに当接している第１偏心カム６７（図３）を低い高さ位置まで偏心回転させて、水貯留容器６８を水塗布状態よりもαだけ下降させている。
【０１３７】
そして、水塗布パッド７０は、この上端部７０ａ側及び下端部７０ｂ側が水貯留容器６８内の水面よりも上方でこの水面と略平行な姿勢となる位置まで退避され、且つ、この状態で水塗布パッド７０を乾燥させている。
【０１３８】
従って、この実施形態では、水塗布パッド７０を退避位置に退避させる際に、水塗布パッド７０の回動と水貯留容器６８の下降とを併用することで水貯留容器６８の小型化を図っているが、これに限ることなく、水貯留容器６８を大型に形成して水塗布パッド７０の下端部７０ｂが水貯留容器６８の内側に衝突するのを回避させた場合には水塗布パッド７０の回動だけで退避させることも可能である。
【０１３９】
これにより、水塗布パッド７０は水６９を含んだまま長期間放置されないので、水塗布パッド７０の表面から水分が蒸発せず、且つ、水６９に溶けていたミネラル分が析出しない。従って、水塗布パッドを長期間放置した後の水塗布再開時に、水貯留容器６８内の水６９が水塗布パッド７０に確実に吸い上げられるために、水付け不足による封緘不良が発生することがない。
【０１４０】
また、水塗布パッド７０は水６９を含んだまま長期間放置されないので、水塗布パッド７０の表面に雑菌が繁殖せず、これに伴って粘性の強いどろどろしたスラリー（懸濁体）が発生しない。従って、水塗布パッドを長期間放置した後の水塗布再開時に、水貯留容器６８内の水６９を水塗布パッド７０の上端部７０ａに確実に吸い上げることができるために、水付け不足による封緘不良が発生することがない。
【０１４１】
図８（ｄ）は水塗布パッド７０がクリーニング状態に至っている。
【０１４２】
このクリーニング状態では、水塗布パッド７０を封筒用紙待機状態又は水塗布状態もしくは退避状態から時計方向に必要に応じて回動させて、水塗布パッド７０の上端部７０ａを水貯留容器６８の内側で水６９の水面近傍に横設したブレード部材７９に接触させて水６９内でクリーニングしながら、この上端部７０ａを水６９に一時的に浸漬させている。
【０１４３】
この際、水貯留容器６８の高さ位置は、封筒用紙待機状態又は水塗布状態と同じ高さに設定している。
【０１４４】
これにより、水塗布パッド７０の上端部７０ａ側に付着した塵埃や、水６９から析出したミネラル分や、粘性の強いどろどろしたスラリーなどをブレード部材７９に擦り付けてクリーニングできる。
【０１４５】
更に、長期間に亘って退避位置に退避している水塗布パッド７０で水塗布動作を再開するときに、乾燥している水塗布パッド７０はこの上端部７０ａ側の上端面に水貯留容器６８内の水６９が達するまでに時間がかかる。
【０１４６】
しかし、水塗布パッド７０のクリーニング動作時に、水塗布パッド７０の上端部７０ａ側を先に水６９に一時的に浸漬してから水塗布パッド７０を反時計方向に回動して下端部７０ｂ側を水６９に浸漬させることが可能になる。これにより、水貯留容器６８内の水６９が水塗布パッド７０の下端部７０ｂ側から上端部７０ａ側の上端面に達する前に封筒用紙１の再湿糊部８に水６９を迅速に塗布することができる。
【０１４７】
次に、図９（ａ）〜（ｄ）は水塗布部において、可動ガイド部材及び用紙押圧部材の回動動作を示している。
【０１４８】
図９（ａ）〜（ｄ）に示す如く、水塗布部６０において、可動ブラケット８２に固定した可動ガイド部材８３及び用紙押圧部材８４が、シャフト８１を中心にして反時計方向及び時計方向に回動可能になっている。
【０１４９】
そして、制御部１３０（図２）の指令によって、先に図３を用いて説明したように、正逆転可能な第４モータ８９により扇形状の第２偏心カム８７を回転駆動させて、この第２偏心カム８７の回転位置に応じて可動ブラケット８２と一体に可動ガイド部材８３及び用紙押圧部材８４を水塗布時に下方に向けて回動するように制御している。
【０１５０】
具体的には、図９（ａ）は封筒用紙待機状態を示している。
【０１５１】
この封筒用紙待機状態では、可動ブラケット８２に固定した可動ガイド部材８３及び用紙押圧部材８４が、シャフト８１を中心にして上方に向かって回動し、この可動ガイド部材８３が上側用紙搬送ガイド板９３と間隔を離して略平行な状態に維持されると共に、用紙押圧部材８４の用紙押圧片８４ｆが水塗布パッド７０の上端部７０ａから離間して上側用紙搬送ガイド板９３の下板部９３ａ側に退避している。
【０１５２】
そして、可動ガイド部材８３と上側用紙搬送ガイド板９３との間に封筒用紙１が搬送されるのを待機している。
【０１５３】
また、スポンジを用いて気孔径がφＤに形成された水塗布パッド７０が、可動ガイド部材８３の下方で待機している。
【０１５４】
更に、第２用紙突き当て板１０３は、封筒用紙１のうちで封筒状に折り畳まれた封筒下紙片４の搬送方向の先頭部が当接する位置まで移動して、この位置で停止している。
【０１５５】
図９（ｂ）は封筒用紙受け入れ状態を示している。
【０１５６】
この封筒用紙待機状態では、可動ガイド部材８３に固定した可動ガイド部材８３及び用紙押圧部材８４は、共に図９（ａ）に示した状態を維持しているが、封筒用紙１のうちで封筒状に折り畳まれた封筒下紙片４の先頭部が用紙検出センサ４６を通過して、この封筒下紙片４の先頭部が可動ガイド部材８３と上側用紙搬送ガイド板９３との間に搬送され、用紙検出センサ４６で封筒下紙片４の先頭部を検出してから所定のタイミングが経過した後に、この封筒下紙片４の先頭部が第２用紙突き当て板１０３に突き当たる。
【０１５７】
このときに、封筒下紙片４の表面上に予め貼着された再湿糊部８が、水塗布パッド７０の上端部７０ａ側の上端面と対向する水塗布位置に至るので、封筒用紙１の搬送を一時的に停止させる。
【０１５８】
図９（ｃ）は水塗布状態を示している。
【０１５９】
この水塗布状態では、用紙検出センサ４６で封筒下紙片４の先頭部を検出してから所定のタイミングが経過した後に、第４モータ８９により第２偏心カム８７を図７に示したように待機位置から半回転させると、可動ブラケット８２に固定した可動ガイド部材８３及び用紙押圧部材８４が、シャフト８１を中心にして下方に向かって回動し、この可動ガイド部材８３が水塗布パッド７０の上端部７０ａ側に形成した凹状切り欠き部７０ａ１内に進入する。これと同時に、用紙押圧部材８４の用紙押圧片８４ｆが上側用紙搬送ガイド板９３の下板部９３ａよりも下方に下がって、用紙押圧片８４ｆで封筒下紙片４上に予め貼着された再湿糊部８を押圧するので、この再湿糊部８に水塗布パッド７０の上端部７０ａ側の上端面が当接する。
【０１６０】
これにより、水貯留容器６８内の水６９が水塗布パッド７０で毛細管現象により吸い上げられて、水塗布パッド７０の上端部７０ａ側の上端面で気孔径φＤによる水滴が再湿糊部８に最適量だけ自動的に塗布されるので、良好な接着が可能になる。
【０１６１】
図９（ｄ）は水塗布完了状態を示している。
【０１６２】
この水塗布完了状態では、第４モータ８９により第２偏心カム８７を水塗布位置から反転させると、可動ブラケット８２に固定した可動ガイド部材８３及び用紙押圧部材８４が、シャフト８１を中心にして再び上方に向かって回動し、可動ガイド部材８３及び用紙押圧部材８４が図９（ａ）に示した封筒用紙待機位置まで戻るが、封筒用紙１は折り２が形成されるように封筒用紙受け入れ時とは反対方向に搬送される。
【０１６３】
上記した再湿糊部８への水塗布動作において、水塗布パッド７０からの水６９が複数の可動ガイド部材８３に付着せず、封筒用紙１に貼着された再湿糊部８が水塗布パッド７０と対向した水塗布位置に至ったときに再湿糊部８のみに水６９が塗布される。
【０１６４】
この結果、例えば、封筒用紙１上に印刷されたインクに対して水濡れによる用紙汚れが発生せず、また、水濡れによる用紙曲がりに伴って発生する用紙ジャムもなくなるので、品質及び信頼性の良い封緘装置を提供することができる。
【符号の説明】
【０１６５】
１…用紙（封筒用紙）、
２…封筒上紙片、３…封筒中紙片、４…封筒下紙片、５Ａ，５Ｂ…折り線、
６…感圧接着剤、７…内容物、７ａ…内容物用紙、８…再湿糊部、９…封筒、
１０…封筒作成システム、
２０…印刷装置、２１…操作パネル部、２２…封筒用紙給紙部、
２３…内容物用紙給紙部、２４…印刷部、２５…制御部、
３０…封緘装置、
４０…封筒用紙折り畳み部兼内容物封入部、４１…第１モータ、
４２…主折リローラ、４３…シート搬送ローラ、４４…第１用紙突き当て板、
４５…第１副折りローラ、４６…用紙検出センサ、４７…第２副折りローラ、
５０…内容物折り畳み部、５５…内容物待機部、
６０…水塗布手段（水塗布部）、
６１…底板、（６２Ｌ），６２Ｒ…左右一対の側板、
６３，６４…一対の容器昇降ガイド部材、
６５…第２モータ、６６…回転軸、６７…第１偏心カム、
６８…水貯留容器、６８ａ…底部、６９…水、
７０…水塗布部材（水塗布パッド）、７０ａ…上端部、
７０ａ１…凹状切り欠き部、７０ｂ…下端部、
７１…前方パッド挟持板、７２…後方パッド挟持板、７４…ネジ、
（７５Ｌ）．７５Ｒ…左右一対の軸支持部材、７６…回動軸、
（７７Ｌ）．７７Ｒ…左右一対の軸受、７８…第３モータ、７９…ブレード部材、
８１…シャフト、８２…可動ブラケット、（８２ａ），８２ｂ…一対の側板部、
８２ｃ…固定部、
８３…用紙搬送ガイド部材（可動ガイド部材）、８３ａ…上面、８３ｂ…下面、
８４…用紙押圧部材、８４ｆ…用紙押圧片、
８５…カムフォロア、８６…軸、８７…第２偏心カム、８８…軸、
８９…第４モータ、９０…ＦＧ板、９１…ホームポジションセンサ、
９２…下側用紙搬送ガイド板、９３…上側用紙搬送ガイド板、
９４…リードスクリユー、９５…ガイドシャフト、９６…ギア、
９７…モータブラケット、９８…第５モータ、９９…ギア、
１００…減速用ギア列、１０１…ナット、１０２…ブラケット、
１０３…第２用紙突き当て板、１０４…位置センサ、
１１０…圧着部、１１１…封筒圧着ローラ対、
１２０…排紙部、１３０…制御部、１４０…記憶部、
ＦＩＲ…封筒用紙供給用搬送路、ＦＯＲ…封筒排出用搬送路、
ＮＩＲ…内容物供給用搬送路、ＦＴＲ…折り畳み用搬送路。
【図１】
2017226434.tif 000003
【図２】
2017226434.tif 000004
【図３】
2017226434.tif 000005
【図４】
2017226434.tif 000006
【図５】
2017226434.tif 000007
【図６】
2017226434.tif 000008
【図７】
2017226434.tif 000009
【図８】
2017226434.tif 000010
【図９】
2017226434.tif 000011